(57)【要約】【課題】  小型化を実現しながら上下ハーフを高精度且つ強固に結合する。【解決手段】  光ディスク２を収納するカートリッジ本体５を構成する上下一対のハーフ３，４を備える。上下ハーフ３，４の外周囲には外周壁形成壁１６，１７が形成されるとともに、相対向する内面には互いに突き合わせられてディスク収納部６を構成する収納部形成壁２４，２５が形成され、下ハーフ４には、回転駆動手段が臨む駆動用開口部１２と、記録及び／又は再生用開口部１３とが形成されている。カートリッジ本体５は、上下ハーフ３，４の外周縁に形成した外周壁形成壁１６，１７を突き合わせ溶着するとともに、上下ハーフの外周縁側から収納部形成壁２４，２５側に偏倚した内方側の位置であって、記録及び／又は再生用開口部１３の一方の側に近接した部分が溶着されて一体化されている。【選択図】  図１４
2005322345.tif 000002
【特許請求の範囲】
【請求項１】
ディスク状記録媒体と、
合成樹脂製の上下一対のハーフを突き合わせ結合して形成されるとともに、ディスク記録及び／又は再生装置への挿入端側が上記収納したディスク状記録媒体の中心を中心とする半円状の円弧状部として形成され、上記挿入端側と対向する背面側が上記挿入端側よりも半径の大きな湾曲部として形成されたカートリッジ本体とを有し、
上記カートリッジ本体の外周囲には、上記上下ハーフの外周縁に形成した外周壁形成壁を突き合わせ結合して形成された外周壁が形成され、
上記カートリッジ本体の内部には、上記円弧状部側の外周壁と上記上下ハーフの上記カートリッジ本体の背面側の外周壁を構成する外周壁形成片の内方側に位置して形成され、互いに突き合わせられる収納部形成壁とにより形成されて上記ディスク状記録媒体を回転可能に収納する記録媒体収納部が設けられ、
さらに、上記カートリッジ本体の下ハーフには、上記ディスク状記録媒体を回転操作するディスク回転駆動機構の少なくとも一部が臨むディスク駆動用開口部が形成されるとともに、上記カートリッジ本体の外周縁側を開放して上記ディスク状記録媒体の一部を内外周に亘って外方に臨ませる記録及び／又は再生用開口部が設けられてなり、
上記カートリッジ本体は、上記上下ハーフの外周縁に形成した外周壁形成壁を突き合わせ溶着するとともに、上記上下ハーフの外周縁側から上記収納部形成壁側に偏倚した内方側の位置であって、上記記録及び／又は再生用開口部の一方の側に近接した部分が溶着されて一体化されていることを特徴とするディスクカートリッジ。
【請求項２】
互いに突き合わせられる上記上下ハーフの収納部形成壁の突き合わせ面の上記記録及び／又は再生用開口部の一方の側に近接した部分の一部が溶着されるとともに、上記上下ハーフの外周壁形成壁と収納部形成壁とに囲まれた領域内の一部が互いに溶着されていることを特徴とする請求項１記載のディスクカートリッジ。
【請求項３】
上記カートリッジ本体には、上記記録及び／又は再生用開口部を開閉するシャッタ部材が移動可能に取り付けられ、上記記録及び／又は再生用開口部の一方の側の上記シャッタ部材が移動する領域内に位置して上記上下ハーフが溶着されていることを特徴とする請求項１記載のディスクカートリッジ。
【発明の詳細な説明】
【技術分野】
【０００１】
本発明は、光ディスク等のディスク状記録媒体を収納したディスクカートリッジに関する。
【背景技術】
【０００２】
従来、光ディスク等のディスク状記録媒体を回転可能に収納し、ディスク状記録媒体を収納したままの状態で記録及び／又は再生装置に装着されるディスクカートリッジが広く用いられている。この種のディスクカートリッジは、ディスク状記録媒体をカートリッジ本体に収納することにより、ディスク状記録媒体の保護を図り、記録及び／又は再生装置への装脱を容易に行うことを可能としている。
【０００３】
この種のディスクカートリッジは、ディスク状記録媒体をカートリッジ本体に収納したままの状態で記録及び／又は再生装置に装着可能とすることから、カートリッジ本体には、ディスク状記録媒体を回転操作するためのディスク回転駆動機構を構成するターンテーブルを臨ませるためのディスク駆動用開口部と、ディスク状記録媒体の信号記録領域の一部を内外周に亘って外方に臨ませる記録及び／又は再生用開口部が設けられている。
【０００４】
また、この種のディスクカートリッジにおいて、ディスク状記録媒体を収納するカートリッジ本体には、合成樹脂を成型して形成した上下一対のハーフを突き合わせ結合して一体化したものが広く用いられている。
【０００５】
ところで、ディスクカートリッジにおいて、カートリッジ本体を構成する下ハーフ側には、ディスク駆動用開口部及び記録及び／又は再生用開口部が設けられ、さらに、ディスク記録及び／又は再生装置側に設けられた装着位置を位置決めする位置決めピンが係合する位置決め孔が設けられている。そして、上下ハーフの外周囲には、互いに突き合わせられて、カートリッジ本体の外周壁を構成する外周壁形成壁が形成され、さらに、外周壁形成壁の内周側には、互いに突き合わせられてディスク収納部を構成する円弧状の収納部形成壁が連続し、若しくは不連続に形成されている。
【０００６】
上下ハーフを結合してカートリッジ本体を構成するためには、駆動用開口部や位置決め孔が形成された下ハーフに対し、上ハーフを正確に位置決めして突き合わせ結合することが要求される。すなわち、下ハーフと上ハーフの突き合わせ結合したずれてしまうと、収納部形成壁の突き合わせ部や外周壁形成壁の突き合わせ部にずれが生じてしまう。収納部形成壁の突き合わせ部にずれが生じてしまうと、ディスク収納部内に段差が発生するなどし、ディスク収納部に収納したディスク状記録媒体を損傷させてしまうおそれがある。また、外周壁形成壁の突き合わせ部にずれを生ずると、ディスクカートリッジの外観を損ねてしまうばかりか、ディスク記録及び／又は再生装置に対し円滑な装脱を行うことができなくなるおそれもある。
【０００７】
そこで、上下ハーフを互いに位置決めして結合するようにしたディスクカートリッジとして、特開２０００−２６０５４公報（特許文献１）に記載されたものがある。
【０００８】
ところで、最近提案されているディスクカートリッジにおいては、収納するディスク状記録媒体の高記録密度化に伴いディスク状記録媒体の小型化も図られている。このようなディスク状記録媒体を収納するディスクカートリッジにあっては、カートリッジ自体も小型化が図られている。
【０００９】
ディスク状記録媒体の小型化に伴って小型化が図られたディスクカートリッジにあっては、上下ハーフを突き合わせ結合するための結合手段を自在な位置に設けることができない。その結果、上下ハーフを高精度に位置決めして結合することが困難な状態にある。上下ハーフを高精度に位置決めして結合することが困難であるため、高精度に寸法精度は維持されたディスクカートリッジを得ることができなくなってしまう。また、上下ハーフを確実に結合することが困難となり、収納したディスク状記録媒体の確実な保護を図ることができなくなるおそれもある。
【００１０】
さらに、記録及び／又は再生用開口部を開閉するシャッタ部材を設けたディスクカートリッジにあっては、上下ハーフの確実な結合が図られていないと、シャッタ部材の一部が上下ハーフに当接するなどしてしまい安定した移動ができなくなってしまう。
【００１１】
【特許文献１】特開２０００−２６０５４公報
【発明の開示】
【発明が解決しようとする課題】
【００１２】
本発明の目的は、ディスク状記録媒体の小径化に伴って小型化が図られても上下ハーフの確実な結合を図ることができるディスクカートリッジを提供することにある。
【００１３】
本発明の他の目的は、上下ハーフの確実な結合を図り、カートリッジ本体に収納したディスク状記録媒体の確実な保護を図ることができるディスクカートリッジを提供することにある。
【００１４】
本発明のさらに他の目的は、上下ハーフの確実な結合を図り、カートリッジ本体に設けた記録及び／又は再生用開口部を開閉するシャッタ部材の安定した移動を実現し、確実に記録及び／又は再生用開口部を開閉することができるディスクカートリッジを提供することにある。
【００１５】
本発明のさらに他の目的は、記録及び／又は再生装置への挿入端側を、収納したディスク状記録媒体の外形形状に対応する半円状の円弧状部としたカートリッジ本体を高精度に構成することを可能とするディスクカートリッジを提供することにある。
【課題を解決するための手段】
【００１６】
上述のような目的を達成するために提案される本発明に係るディスクカートリッジは、ディスク状記録媒体と、合成樹脂製の上下一対のハーフを突き合わせ結合して形成されるとともに、ディスク記録及び／又は再生装置への挿入端側が収納したディスク状記録媒体の中心を中心とする半円状の円弧状部として形成され、挿入端側と対向する背面側が挿入端側よりも大きな半径の湾曲部として形成されたカートリッジ本体とを備える。このカートリッジ本体の外周囲には、上下ハーフの外周縁に形成した外周壁形成壁を突き合わせ結合して形成された外周壁が形成され、カートリッジ本体の内部には、円弧状部側の外周壁と上下ハーフのカートリッジ本体の背面側の外周壁を構成する外周壁形成片の内方側に位置して形成され、互いに突き合わせられる収納部形成壁とにより形成されてディスク状記録媒体を回転可能に収納する記録媒体収納部が設けられ、さらに、上記カートリッジ本体の下ハーフには、ディスク状記録媒体を回転操作するディスク回転駆動機構の少なくとも一部が臨むディスク駆動用開口部が形成されるとともに、カートリッジ本体の外周縁側を開放してディスク状記録媒体の一部を内外周に亘って外方に臨ませる記録及び／又は再生用開口部が設けられている。そして、カートリッジ本体は、上下ハーフの外周縁に形成した外周壁形成壁を突き合わせ溶着するとともに、上下ハーフの外周縁側から収納部形成壁側に偏倚した内方側の位置であって、記録及び／又は再生用開口部の一方の側の近接した位置が溶着されて一体化されている。
【００１７】
本発明において、上下ハーフは、外周壁形成壁間が溶着されるとともに、互いに突き合わせられる上下ハーフの収納部形成壁の突き合わせ面の記録及び／又は再生用開口部の一方の側に近接した部分の一部が溶着されるとともに、上下ハーフの外周壁形成壁と収納部形成壁とに囲まれた領域内の一部が互いに溶着されて一体化されている。
【００１８】
本発明に係るカートリッジ本体には、さらに、記録及び／又は再生用開口部を開閉するシャッタ部材が移動可能に取り付けられ、記録及び／又は再生用開口部の一方の側のシャッタ部材が移動する領域内に位置して上下ハーフが溶着されている。
【発明の効果】
【００１９】
本発明に係るディスクカートリッジは、カートリッジ本体を構成する上下ハーフの外周縁に形成した外周壁形成壁を突き合わせ溶着するとともに、上下ハーフの外周縁側から収納部形成壁側に偏倚した内方側の位置であって、記録及び／又は再生用開口部の一方の側に近接した部分が溶着されることにより、記録及び／又は再生用開口部の近傍が強固に結合され、上下ハーフの確実な結合が実現される。
【００２０】
また、本発明に係るディスクカートリッジは、上下ハーフの収納部形成壁の突き合わせが溶着されているので、記録媒体収納部を高精度に形成でき、収納するディスク状記録媒体の確実な保護を図ることができる。
【００２１】
さらに、本発明に係るディスクカートリッジは、記録及び／又は再生用開口部の一方の側のシャッタ部材が移動する領域内で上下ハーフが溶着されているので、シャッタ部材が移動する範囲で上下ハーフを確実に結合でき、シャッタ部材の安定した移動を保証することができる。
【発明を実施するための最良の形態】
【００２２】
以下、本発明に係るディスクカートリッジを図面を参照して具体的に的に説明する。
【００２３】
本発明に係るディスクカートリッジ１は、ディスク状記録媒体として、例えば、光ディスク２を回転可能に収納したものであって、図１及び図２に示すように、上下一対のハーフ３，４を突き合わせ結合したカートリッジ本体５を備え、このカートリッジ本体５内に光ディスク２を回転可能に収納している。
【００２４】
本発明に係るディスクカートリッジ１は、例えばテレビジョンゲームを実行するプログラムデータやビデオデータが記録された光ディスク２を収納したものであり、しかも、極めて小型に構成されている。このディスクカートリッジ１は、例えば、直径を６０ｍｍ程度とする小径の光ディスク２を収納したものであって、片手の掌に収納し得る程度の大きさに形成されている。
【００２５】
このディスクカートリッジ１を構成するカートリッジ本体５は、図１乃至図３に示すように、このディスクカートリッジ１が装脱されるディスク記録及び／又は再生装置への挿入端側となる一側面である前面側を円弧状部７として形成している。この円弧状部７は、図２に示すように、カートリッジ本体５のディスク収納部６に収納された光ディスク２の中心を中心Ｐ０として半径Ｒ１を一定にしたほぼ半円の円弧状に形成されている。すなわち、円弧状部７は、カートリッジ本体５に収納された光ディスク２の半円に相当する部分と対向するような半円として形成されている。
【００２６】
カートリッジ本体５の円弧状部７に連続する相対向する側面は、互いに平行な側面８，９として形成され、円弧状部７と対向する背面側は、なだらかに湾曲して連続した湾曲部１０として形成されている。すなわち、カートリッジ本体５の背面側は、カートリッジ本体５の前面側に構成された半円状の円弧部７より大きな半径、すなわち、円弧部７より曲率が小さい湾曲部１０とされている。
【００２７】
本発明に係るディスクカートリッジ１は、挿入端側となる一の側面である前面を他の面に比し大きく湾曲したほぼ半円の円弧状部７としているので、カートリッジ挿脱口を介してスロットイン方式により装脱が行われるディスク記録及び／又は再生装置へ挿入への挿入を容易に判別できる。特に、掌内に収納できる程度に小型化したディスクカートリッジ１にあっては、手で握った感覚でも挿入方向の識別を行うことができるので、誤挿入を防止して正確にディスク記録及び／又は再生装置に装着することも可能となる。しかも、このディスクカートリッジ１は、後述するように、スロットイン方式のディスク記録及び／又は再生装置へ挿入操作が容易となるばかりか、確実な挿入操作を実現できる。
【００２８】
本発明に係るディスクカートリッジ１は、挿入端側をほぼ半円の円弧状部７とし、さらに加えて円弧状部７と対向する背面も湾曲部１０としているので、収納する光ディスク２に対し一層の小型化が実現されている。
【００２９】
ここで、互いに突き合わせ結合されてカートリッジ本体５を構成する上下ハーフ３，４を具体的に説明する。
【００３０】
ここで用いられる上下ハーフ３，４は、ポリカーボネート樹脂やＡＢＳ樹脂等の合成樹脂材料をモールド成型して形成される。
【００３１】
カートリッジ本体５の下面側を構成する下ハーフ４の中央部には、図４及び図５に示すように、カートリッジ本体５に収納した光ディスク２の中心部に形成したセンター穴１１及びその周縁を外方に臨ませる円形のディスク駆動用開口部１２が形成されている。このディスク駆動用開口部１２には、ディスクカートリッジ１が装着されるディスク記録及び／又は再生装置側に設けられたディスク回転駆動機構の一部を構成する例えばターンテーブルが進入する。ディスクカートリッジ１に収納された光ディスク２は、ディスク駆動用開口部１２を介してカートリッジ本体５内に進入するターンテーブルに装着されて回転駆動される。
【００３２】
また、下ハーフ４には、図２乃至図５に示すように、記録及び／又は再生用開口部を構成するヘッド部用開口部１３が形成されている。ヘッド部用開口部１３は、カートリッジ本体５の一方の側面８側に位置し、ディスク駆動用開口部１２に近接した位置から側面８に亘って矩形状に形成されている。すなわち、ヘッド部用開口部１３は、カートリッジ本体５に収納された光ディスク２の信号記録領域の一部を内外周に亘って外方に臨ませる足る大きさの矩形状に形成されている。ここで、ヘッド部用開口部１３は、図４に示すように、一方の側面８に位置するカートリッジ本体５の外周縁側を開放して形成されている。このように、ヘッド部用開口部１３のカートリッジ本体５の外周縁側が開放されることにより、光ディスク２の最外周位置までヘッド部の走査領域とすることができるので、光ディスク２の信号記録領域を大きくでき、光ディスク２の記録容量を大きくすることができる。また、ヘッド部用開口部１３は、ディスク駆動用開口部１２に連続することなく、ディスク駆動用開口部１２との間に連接部１４を残して形成されているので、下ハーフ４の機械的強度を維持することができる。
【００３３】
下ハーフ４に突き合わせ結合されてカートリッジ本体５の上面側を構成する上ハーフ４の光ディスク２と対向する面は、図１に示すように、開口部等が設けられることなく平坦な面とされている。
【００３４】
そして、上下ハーフ３，４の突き合わせ面側の外周囲には、互いに突き合わせ結合されることによってカートリッジ本体４の外周壁１５を構成する外周壁形成壁１６，１７が立ち上がり形成されている。各外周壁形成壁１６，１７は、図５及び図６に示すように、上下ハーフ３，４の外周縁に沿って形成されている。各外周壁形成壁１６，１７のうち、上下ハーフ３，４の半円の円弧状部７を構成する領域に位置する部分の突き合わせ面側には、相対係合する複数の係合凹部１８と係合突部１９とが形成されている。これら係合凹部１８及び係合突部１９は、円弧状部７の最も突出した左右方向の中央位置に一対設け、これら係合凹部１８及び係合突部１９を中心にして左右に対称に２組ずつ設けられている。
【００３５】
ここで、係合凹部１８は、上ハーフ３側に設けられ、係合突部１９は、下ハーフ４側に設けられる。係合凹部１８は、図７に示すように、上ハーフ４側の外周壁形成壁１６の内周面側を切り欠くことによって形成されている。また、係合突部１９は、下ハーフ４側の外周壁形成壁１７の先端部に突設されている。そして、係合突部１９の先端部には、図７に示すように、上下ハーフ３，４を結合するための溶着部を構成する溶着用リブ２０が突設されている。
【００３６】
なお、上下ハーフ３，４の湾曲部１０を構成する領域に位置する外周壁形成壁１６，１７の先端部側にも、図８に示すように、相対係合する係合凹部２１及び係合突部２２が形成されている。係合凹部２１は、上ハーフ３側に設けられて、係合突部２２は、下ハーフ４側に設けられている。そして、係合凹部２１は、上ハーフ４側の外周壁形成壁１６の内周面側を切り欠くことによって形成され、係合突部２２は、下ハーフ４側の外周壁形成壁１７の先端部に突設されている。そして、係合突部２２の先端部には、図８に示すように、上下ハーフ３，４を結合するための溶着部を構成する溶着用リブ２３が突設されている。溶着用リブ２３は、図５に示すように、係合突部２２の先端に適宜間隔を隔て複数設けられている。
【００３７】
各外周壁形成壁１６，１７は、係合凹部１８，２１と係合突部１９，２２とを相対係合して突き合わせ、次いで、溶着用リブ２０，２３を溶融することにより、図９及び図１０に示すように、互いに溶着されてカートリッジ本体５の外周壁１５を構成する。外周壁形成壁１６，１７の溶着は、溶着用リブ２０，２３に超音波を印加し、これら溶着用リブ２０，２３を溶融することによって行われる。
【００３８】
また、上下ハーフ３，４の相対向する内面側であって、カートリッジ本体５の背面側の湾曲部１０を構成する側に位置して、互いに突き合わされて円形のディスク収納部６の一部を構成する収納部形成壁２４，２５が形成されている。これら収納部形成壁２４，２５は、図５及び図６に示すように、カートリッジ本体５の前面側の円弧状部７を構成する外周壁形成壁１６，１７に一連に連続してこのカートリッジ本体５に収納される光ディスク２の外周を囲む円形のディスク収納部６の一部を構成するように、カートリッジ本体５の湾曲部１０を構成する外周壁１５を構成する外周壁形成壁１６，１７の内方側に位置して形成されている。
【００３９】
本発明に係るディスクカートリッジ１は、カートリッジ本体５の外周壁１５の一部を利用してディスク収納部６を構成するようにしているので、収納する光ディスク２に対し一層の小型化を図ることができる。
【００４０】
ディスク収納部６を構成する収納部形成壁２４，２５とカートリッジ本体５の前面側の円弧状部７を構成する外周壁形成壁１８，１９は、ディスク収納部６に収納された光ディスク２の外周囲を囲むように形成されているので、ディスク収納部６に収納された光ディスク２の収納位置を規制するとともに、ディスク収納部６への異物の進入を防止して光ディスク２の保護を図るディスク保護壁としても機能する。
【００４１】
さらに、本発明に係るディスクカートリッジ１において、カートリッジ本体５を構成する上下ハーフ３，４は、外周縁側から収納部形成壁２４，２５側に偏倚した内方側の位置であって、ヘッド部用開口部１３の一方の側に近接した部分が溶着されて一体化される。
【００４２】
すなわち、図５に示すように、下ハーフ４に形成した収納部形成壁２５のヘッド部用開口部１３の一側に臨む一端部側の突き当て面に先端先細り状とした溶着用リブ２６が設けられている。
【００４３】
さらに、図５及び図１１に示すように、下ハーフ４の収納部形成壁２５とカートリッジ本体５の湾曲部１０を構成する背面側の外周壁形成壁１７により囲まれた左右の領域のうち、ヘッド部用開口部１３が形成された側に位置する一方の領域内に位置して、筒状の結合ピン２７が形成されている。この結合ピン２７の先端面には、先端先細り状とした溶着用リブ２８が突設されてる。
【００４４】
さらにまた、下ハーフ４の結合ピン２７が形成された領域内であって、収納部形成壁２５に設けた溶着用リブ２６と結合ピン２７との間に位置して、図５及び図１１に示すように、Ｌ字状の突き合わせ片２９が設けられている。この突き合わせて片２９の先端面にも、先端先細り状とした溶着用リブ３０が突設されてる。また、突き合わせ片２９は、収納部形成壁２５の外周面側に連結して形成されているので、収納部形成壁２５の強度を向上することができる。ところで、小型のディスクカートリッジ１においては、カートリッジ自体の小型化を図るため、カートリッジ本体５を構成する要素も肉薄に形成される。その結果、収納部形成壁２５も肉薄に形成されるが、この収納部形成壁２５を外周面側から支持するように突き合わせ片２９が形成されることにより、収納部形成壁２５の機械的強度を向上し高精度に形成できる。特に、収納部形成壁２５のヘッド部用開口部１３に臨む側は、開放された状態にあるので、肉薄に形成されることにより容易に撓み変形してしまうが、突き合わせ片２９により支持されることにより、撓み変形が防止でき、上ハーフ３側の収納部形成壁２４と突き合わせるときに正確な位置合わせを行うことができる。
【００４５】
一方、下ハーフ４と突き合わせ結合される上ハーフ３側には、図６及び図１２に示すように、下ハーフ４に設けた結合ピン２７の先端部が当接結合される結合受けピン３１が形成されている。さらに、上ハーフ３には、図６及び図１２に示すように、下ハーフ４側に設けた突き合わせ片２９と突き合わせ結合される突き合わせ結合片３２が形成されている。この突き合わせ結合片３２も突き合わせ片２９と同様に、収納部形成壁２４の外周面側に連結して形成されているので、肉薄に形成される収納部形成壁２４の機械的強度を向上し高精度に形成できる。この収納部形成壁に２４においても、ヘッド部用開口部１３に臨む側は、開放された状態にあるので、肉薄に形成されることにより容易に撓み変形してしまうが、突き合わせ結合片３２により支持されることにより、撓み変形が防止でき、下ハーフ４側の収納部形成壁２５と突き合わせるときに正確な位置合わせが可能となる。
【００４６】
なお、下ハーフ４の収納部形成壁２５側に形成した溶着用リブ２６が溶着される上ハーフ３側の収納部形成壁２４の先端面は平坦な面とされている。
【００４７】
上ハーフ３側に係される結合受けピン３１及び突き合わせ結合片３２は、下ハーフ４側の結合ピン２７及び突き合わせ片２９と結合されるものであるので、上ハーフ３の収納部形成壁２４とカートリッジ本体５の湾曲部１０を構成する背面側の外周壁形成壁１６により囲まれた左右の領域のうち、ヘッド部用開口部１３側に位置する一方の領域内に位置して形成される。
【００４８】
また、下ハーフ４の上ハーフ３と対向する内面側には、図５及び図１１に示すように、ディスク駆動用開口部１２を囲むようにして、リング状のディスク支持突部３３が形成されている。また、上ハーフ４の下ハーフ４と対向する内面側にも、図６に示すように、リング状のディスク支持突部３４が形成されている。このディスク支持突部３４は、下ハーフ４側のディスク支持突部３３に対向する位置に設けられる。これらディスク支持突部３３，３４は、ディスク収納部６に収納された光ディスク２の内周側の非信号記録領域を支持し、信号記録領域が直接上下ハーフ３，４の内面に接触することを防止し、光ディスク２の保護を図るようにしている。
【００４９】
なお、上ハーフ３側に形成されるディスク支持突部３４は、下ハーフ４側のディスク支持突部３３よりやや小径に形成されている。
【００５０】
さらに、下ハーフ４には、このディスクカートリッジ１をディスク記録及び／又は再生装置に装着したとき、装置側に設けた位置決めピンが係合する第１及び第２の位置決め孔３５，３６が設けられている。これら位置決め孔３５，３６は、図３及び図４に示すように、湾曲部１０を構成する背面側の両側に位置して設けられる。すなわち、第１及び第２の位置決め孔３５，３６は、図５に示すように、収納部形成壁２５とカートリッジ本体５の湾曲部１０を構成する背面側の外周壁形成壁１７により囲まれた左右の各領域にそれぞれ設けられている。なお、第２の位置決め孔３６は、位置決めピンの係合位置を調整するため、図３及び図４に示すように、カートリッジ本体５の各側面８，９に亘る幅方向を長径とする長孔として形成されている。
【００５１】
そして、下ハーフ４の内面側には、図５及び図１１に示すように、第１の位置決め孔３５を囲むようにして筒状の第１の係合突部３７が突設され、第２の位置決め孔３６を囲むようにして筒状の突き当て突部３８が突設されている。さらに、収納部形成壁２５と外周壁形成壁１７とに囲まれた領域のうち第２の位置決め孔３６が設けられた領域内に位置して第２の係合突部３９が突設されている。この第２の係合突部３９も、筒状に形成されている。
【００５２】
ところで、第２の係合突部３９は、図５に示すように、第２の位置決め孔３６が設けられる位置よりカートリッジ本体５の他方の側面９を構成する外周壁形成壁１７側に位置して形成されている。すなわち、第２の係合突部３９は、図５に示すように、第１の位置決め部を構成する第１の係合突部３７に対し、第２の位置決め孔３６よりさらに離間した位置に設けられている。
【００５３】
ここで、第１の係合突部３７は、上下ハーフ３，４の突き合わせ位置を位置決めする第１の位置決め部を構成し、第２の係合突部３９は、第２の位置決め部を構成する。
【００５４】
一方、上ハーフ３の内面側には、下ハーフ４に設けた第１の係合突部３７と相対係合する第１の係合受け部４０が設けられるとともに、突き当て突部３８に突き当てられる筒状の支持突部４１が設けられ、さらに、第２の係合突部３９と相対係合する第２の係合受け部４２とが設けられている。
【００５５】
なお、第１及び第２の係合突部３７，３９は、図１１に示すように、外周壁形成壁１７の先端より突出する高さに形成されることにより、各外周壁形成壁１６，１７を突き合わせて上下ハーフ３，４を結合したとき、外周壁形成壁１６と等しい高さに形成された第１及び第２の係合受け部４０，４２に係合される。
【００５６】
ところで、上ハーフ４側に設けられる第１の係合受け部４０及び支持突部３１は、図６に示すように、収納部形成壁２４とカートリッジ本体５の湾曲部１０を構成する背面側の外周壁形成壁１６により囲まれた左右の各領域にそれぞれ設けられている。そして、第２の係合受け部４２は、支持突部４１が設けられた領域内に位置し、図６に示すように、支持突部４１が設けられる位置よりカートリッジ本体５の他方の側面９を構成する外周壁形成壁１６側に位置して形成されている。
【００５７】
ここで、第１の係合突部３７と第１の係合受け部４０は、相対係合されたとき、上下ハーフ３，４の突き合わせ基準位置を構成する。すなわち、上ハーフ３は、下ハーフ４に設けた第１の係合突部３７を係合基準位置として下ハーフ４に結合される。したがって、第１の係合突部３７と第１の係合受け部４０とは、図１３に示すように、互いに密嵌するような径をもって形成されている。すなわち、筒状の第１の係合突部３７の外径と、第１の係合突部３７の先端部が係合する第１の係合受け部４０の内周径とは、ほぼ等しい径とされている。
【００５８】
なお、第１の係合受け部４０の内部には、図１２及び図１３に示すように、第１の係合突部３７の先端部が当接する当接段部４３が形成されている。第１の係合突部３７は、先端部を当接段部４３に当接させて第１の係合受け部４０に係合される。第１の係合受け部４０は、内部に当接段部４３を形成しているので、上ハーフ３の平面側に位置する基部側の肉厚を厚くでき、機械的な強度を大きくすることができる。
【００５９】
また、第２の係合受け部４２は、カートリッジ本体５の各側面８，９に亘る図６中矢印Ｘ１方向の幅方向を長径とした楕円形に形成され、第１の係合突部３７と第１の係合受け部４０とを基準として上下ハーフ３，４を突き合わせたとき、第２の係合突部２９の幅方向の係合位置を調整可能としている。
【００６０】
なお、第１及び第２の係合突部３７，３９は、図１１に示すように、外周壁形成壁１７の先端より突出する高さに形成されることにより、各外周壁形成壁１６，１７を突き合わせて上下ハーフ３，４を結合したとき、外周壁形成壁１６と等しい高さに形成された第１及び第２の係合受け部３０，３２に係合する。
【００６１】
上述のように構成された上下ハーフ３，４を突き合わせ結合してカートリッジ本体５を形成するには、下ハーフ５を位置決め治具に位置決め支持し、図１４に示すように、下ハーフ４側の第１の係合突部３７に上ハーフ３側の第１の係合受け部４０を相対係合するとともに、下ハーフ４側の第２の係合突部３９に上ハーフ３側の第２の係合受け部４２とを相対係合し、さらに、下ハーフ４側の複数の係合突部１９に上ハーフ３側の複数の係合凹部１８をそれぞれ相対係合して互いの外周壁形成壁１６，１７が突き合わせられる。
【００６２】
ところで、上ハーフ３側の係合凹部１８が相対係合する下ハーフ４側の係合突部１９のうち、円弧状部７の最も突出した中央位置に設けられた係合突部１９は、上下ハーフ３，４を突き合わせ結合するとき、円弧状部７の円弧に沿う図１４中矢印Ｘ２方向の位置決めを図る第３の位置決め部として機能するように形成されている。すなわち、第３の位置決め部を構成する係合突部１９は、上ハーフ３側の係合凹部１８と相対係合したとき、間隙が小さくなるように形成されている。すなわち、第３の位置決め部を構成する係合突部１９とこの係合突部１９に係合する係合凹部１９とは、図１５に拡大して示すように、相対係合したときの間隙Ｄ１が小さくなるように精度良く形成される。すなわち、この係合突部１９と、この係合突部１９に係合する係合凹部１８は、互いに密接して係合し得るように、ほぼ同一の幅Ｗ１，Ｗ２をもって形成されている。このように、第３の位置決め部を構成する係合突部１９に係合凹部１８が密接して係合するので、上下ハーフ３，４は、円弧状部７の円弧に沿う方向の位置決めが図られて結合される。
【００６３】
なお、係合突部１９と係合凹部１８は、逆の関係で設けるようにしてもよい。すなわち、上ハーフ３側に係合突部を設け、下ハーフ４側に係合凹部１８を設けるようにしてもよい。この場合には、下ハーフ４側の係合凹部１８が第３の位置決め部を構成する。
【００６４】
上述のように、上下ハーフ３，４は、第１の係合突部２７を突き合わせ基準位置として突き合わせられる。そして、第２の係合突部２９と第２の係合受け部３２とが相対係合することにより、図１４中矢印Ｘ１方向の幅方向と直交する矢印Ｙ１方向のカートリッジ本体５の前後方向に位置決めが図られ、さらに、第３の位置決め部を構成する一対の係合凹部１８と係合突部１９が相対係合することにより、記録及び／又は再生装置への挿入端側となる円弧状部７側の突き合わせ位置の位置決めが図られる。
【００６５】
このように上下ハーフ３，４が位置決めされて突き合わせられるとき、上下ハーフ３，４に設けた収納部形成壁２４，２５が突き合わせられ、さらに、上ハーフ３に設けた結合受けピン３１と下ハーフ４に設けた結合ピン２７とが突き合わせられ、さらに、上ハーフ３に設けた突き合わせ結合片３２に下ハーフ４に設けた突き合わせ片２９とが突き合わせられる。
【００６６】
互いに位置決めが図られて突き合わせられた上下ハーフ３，４は、超音波溶着装置を用いて、係合突部１９及び外周壁形成壁１７の先端部に設けられた溶着用リブ２３、下ハーフ４に形成した収納部形成壁２５に設けた溶着用リブ２６、結合ピン２７の先端面に形成した溶着用リブ２８、突き合わせ片２９の先端面に設けた溶着用リブ３０に超音波を印加して溶融することにより、各溶着用リブ２３，２８，３０が溶融され、上下ハーフ３，４に形成した外周壁形成壁１６，１７が結合され、収納部形成壁２４，２５の一部が結合し、さらに、互いに突き合わせられた結合ピン２７と結合受けピン３１との間が結合され、突き合わせ片２９と突き合わせ結合片３２との間が結合されて一体化されてカートリッジ本体５を構成する。
【００６７】
なお、収納部形成壁２４，２５との間を結合する溶着用リブ２６、結合ピン２７と結合受けピン３１との間を結合する溶着用リブ２８、突き合わせ片２９と突き合わせ結合片３２との間を結合する溶着用リブ３０は、上述の例を逆に設けるようにしてもよい。
【００６８】
上述したように、本発明において、上下ハーフ３，４は、カートリッジ本体５の湾曲部１０とされた背面側の両側に設けられた第１及び第２の位置決め部と、前面側の円弧状部７の中央部に設けられた第３の位置決め部の３点で位置決めがされて突き合わせ結合されてなるので、上下ハーフ３，４の位置ずれを小さくして高精度に形成できる。特に、第１〜第３の位置決め部は、カートリッジ本体５の外周側に位置し、互いの位置間を大きく隔て配置されているので、上下ハーフ３，４の位置ずれを一層小さくして高精度に形成できる。その結果、このカートリッジ本体５を用いたディスクカートリッジ１は、高精度なものとなり、記録及び／又は再生装置への装脱も円滑に行うことが可能となるばかりか、外観も良好なものとなる。
【００６９】
また、本発明に係るディスクカートリッジ１は、下ハーフ４側の第２の位置決め部を構成する第２の係合突部３９を第１の係合突部３７に対し大きく離間して設けるようにしているので、上下ハーフ３，４の突き合わせ位置の位置ずれの発生を一層小さくすることができる。特に、第１の係合突部３７と第２の係合突部３９との間に位置する第２の位置決め孔３６の周囲に設けられた突き当て突部３８と筒状の支持突部４１との当接位置のずれを小さくし、確実な突き合わせを実現することができる。
【００７０】
さらに、本発明に係るディスクカートリッジ１においては、上下ハーフ３，４が位置ずれの発生を抑えて結合されるので、上下ハーフ３，４に設けられる収納部形成壁２４，２５も位置ずれを抑えて突き合わせることができ、ディスク収納部６を高精度に形成できる。その結果、ディスク収納部６内に光ディスク２に損傷を与えてしまうような突起等の発生を抑えることができ、光ディスク２の確実な保護を図ることができる。
【００７１】
そして、本発明は、カートリッジ本体５の外周縁側からディスク収納部６側に偏倚した内方側の位置であって、カートリッジ本体５の外周縁側を開放して形成されたヘッド部用開口部１３の一方の側に近接した位置が溶着されているので、ヘッド部用開口部１３の近傍を強固に結合でき、収納する光ディスク２の信号記録領域を拡大するため、カートリッジ本体５の外周縁側を開放してヘッド部用開口部１３を形成しても、上下ハーフ３，４の確実な結合が実現される。
【００７２】
さらに、収納部形成壁２４，２５のヘッド部用開口部１３に臨む開放された状態にある部分が溶着されているので、収納部形成壁２４，２５を肉薄に形成しても、撓み変形が防止でき、これら収納部形成壁２４，２５を突き合わせて形成されるディスク収納部６の変形を防止でき、ディスク収納部６に収納した光ディスク２の確実な保護を図ることができる。
【００７３】
特に、収納部形成壁２４，２５は、突き合わせ片２９及び突き合わせ結合片３２により支持され、肉薄に形成しても撓み変形が防止でき、互いの突き合わせを高精度に行うことができ、これら収納部形成壁２４，２５を突き合わせて形成されるディスク収納部６を高精度に形成することができる。
【００７４】
さらにまた、本発明は、カートリッジ本体５の外周壁１５を構成する外周壁形成壁１６，１７がディスク収納部６を構成するようにしているので、ディスクカートリッジ１の一層の小型化が実現されている。
【００７５】
上述のように構成されたカートリッジ本体５には、図１、図２及び図３に示すように、ヘッド部用開口部１３を開閉するシャッタ部材４５が取り付けられる。このシャッタ部材４５は、薄い金属板を打ち抜き折り曲げて形成され、若しくは合成樹脂材料を形成して形成されたものであって、図２及び図３及びに示すように、ヘッド部用開口部１３を閉塞する足るに大きさの矩形状に形成したされ平板状のシャッタ部４６と、このシャッタ部６６の基板部側に形成された断面コ字状に形成されたカートリッジ支持部４７とを備える。シャッタ部４６の先端部には、カートリッジ本体５側に取り付けられるシャッタガイド部材４により支持されるガイド支持部４９が設けられている。
【００７６】
このシャッタ部材４５は、カートリッジ本体５を構成する上ハーフ３側に形成されたスライドガイド部５１をカートリッジ支持部４７により支持することによってヘッド部用開口部１３を開閉する図１及び図２中矢印Ａ方向又は矢印Ｂ方向に移動可能に支持される。このとき、シャッタ部材４５は、ガイド支持部４９がカートリッジ本体５側に取り付けられたシャッタガイド部材４８により支持されるので、シャッタ部４６のカートリッジ本体５からの浮き上がりが防止でき、安定した移動が実現される。
【００７７】
なお、シャッタ部材４５は、図示しないが、カートリッジ本体５内に配設した捩りコイルバネ等の付勢部材を介してヘッド部用開口部１３を閉塞する方向の図１及び図２中矢印Ｂ方向に移動付勢され、ディスク記録及び／又は再生装置に装着されない保管等に確実にヘッド部用開口部１３を閉塞するようにしている。
【００７８】
ところで、本発明において、カートリッジ本体５の外周縁側からディスク収納部６側に偏倚した内方側の位置であって、カートリッジ本体５の外周縁側を開放して形成されたヘッド部用開口部１３の一方の側の位置は、シャッタ部材４５が移動する領域内であり、ヘッド部用開口部１３を開放した位置に移動されたシャッタ部材４５が位置する領域である。
【００７９】
上述したディスクカートリッジ１は、ヘッド部用開口部１３を閉塞するためのシャッタ部材４５を備えているが、本発明に係るディスクカートリッジは、シャッタ部材を設けることなくヘッド部用開口部を開放したままにしたものであってもよい。
【００８０】
シャッタ部材を設けることなく構成されたディスクカートリッジ１０１は、図１６及び図１７に示すように構成される。
【００８１】
このディスクカートリッジ１０１は、基本的な構成を上述したディスクカートリッジ１と共通にするので、共通する部分には共通の符号を付して詳細な説明は省略する。
【００８２】
シャッタ部材を設けることなく構成された本発明に係るディスクカートリッジ１０１も前述したディスクカートリッジ１と同様に、上下一対のハーフ３，４を突き合わせ結合したカートリッジ本体５を備え、このカートリッジ本体５内に光ディスク２を回転可能に収納している。
【００８３】
このディスクカートリッジ１０１を構成するカートリッジ本体５は、図１６及び図１７に示すように、このディスクカートリッジ１０１が装脱されるディスク記録及び／又は再生装置への挿入端側となる一側面である前面側を円弧状部７として形成している。
【００８４】
カートリッジ本体５の円弧状部７に連続する相対向する側面は、互いに平行な側面８，９として形成され、円弧状部７と対向する背面側は、なだらかに湾曲して連続した湾曲部１０として形成されている。すなわち、カートリッジ本体５の背面側は、カートリッジ本体５の前面側に構成された半円状の円弧部７より大きな半径、すなわち、円弧部７より曲率が小さい湾曲部１０とされている。
【００８５】
このディスクカートリッジ１０１においても、カートリッジ本体５の下面側を構成する下ハーフ４の中央部には、図１７に示すように、カートリッジ本体５に収納した光ディスク２の中心部に形成したセンター穴１１及びその周縁を外方に臨ませる円形のディスク駆動用開口部１２が形成されている。
【００８６】
また、下ハーフ４には、図１７に示すように、記録及び／又は再生用開口部を構成するヘッド部用開口部１３が形成されている。ヘッド部用開口部１１３は、カートリッジ本体５の一方の側面８側に位置し、ディスク駆動用開口部１２に近接した位置から側面８に亘って矩形状に形成されている。すなわち、ヘッド部用開口部１１３は、カートリッジ本体５に収納された光ディスク２の信号記録領域の一部を内外周に亘って外方に臨ませる足る大きさの矩形状に形成されている。このヘッド部用開口部１１３も、図１７に示すように、一方の側面８に位置するカートリッジ本体５の外周縁側を開放して形成されている。また、ヘッド部用開口部１１３は、ディスク駆動用開口部１２に連続することなく、ディスク駆動用開口部１２との間に連接部１４を残して形成されているので、下ハーフ４の機械的強度を維持することができる。
【００８７】
ところで、本例のディスクカートリッジ１０１は、ヘッド部用開口部１１３を開閉するシャッタ部材を設けることなく構成されているので、カートリッジ本体の５の下面を構成する下ハーフ４の外方側の面も、図１７に示すように、駆動部用開口部１２及びヘッド部用開口部１１３が形成された部分を除いて平坦な面として形成されている。
【００８８】
このディスクカートリッジ１０１においても、カートリッジ本体５の外周縁側からディスク収納部６側に偏倚した内方側の位置であって、カートリッジ本体５の外周縁側を開放して形成されたヘッド部用開口部１１３の一方の側に近接した位置が溶着されているので、ヘッド部用開口部１１３の近傍を強固に結合でき、収納する光ディスク２の信号記録領域を拡大するため、カートリッジ本体５の外周縁側を開放してヘッド部用開口部１３を形成しても、上下ハーフ３，４の確実な結合が実現される。
【００８９】
ところで、図１６及び図１７に示すディスクカートリッジ１０１に設けたヘッド部用開口部１３は、前述したディスクカートリッジ１に形成したヘッド部用開口部１３よりも大きく形成されている。本例のディスクカートリッジ１０１に設けたヘッド部用開口部１３は、カートリッジ本体５の挿入端側から背面側に至る前後方向の中心より挿入端側の領域を大きく開放して形成されている。これは、このディスクカートリッジ１０１に収納した光ディスク２の信号記録領域を光ビームにより走査する光ヘッド部をカートリッジ本体５内に進入させ、光ディスク２に近接させるようにするためである。
【００９０】
このように、光ヘッドを光ディスク２に近接させることができるので、開口数（ＮＡ）の大きな対物レンズを用いた光ヘッド部により光ディスク２の走査を行うことができるので、光ディスク２の高密度化が図られ、さらに、このディスクカートリッジ１０１を用いる記録及び／又は再生装置の薄型化も可能となる。
【００９１】
上述した例では、ディスク状記録媒体として光ディスクをカートリッジ本体に収納した例を挙げて説明したが、本発明は、光ディスクに限られるものではなく、磁気ディスクを含むその他のディスク状記録媒体を収納したディスクカートリッジに適用した場合にも、上述したような利点を得ることができるものである。
【図面の簡単な説明】
【００９２】
【図１】本発明に係るディスクカートリッジを上ハーフ側から見た斜視図である。
【図２】本発明に係るディスクカートリッジを下ハーフ側から見た斜視図である。
【図３】本発明に係るディスクカートリッジを下ハーフ側から見た平面図である。
【図４】カートリッジ本体を構成する下ハーフの外面を示す平面図である。
【図５】下ハーフの内面を示す平面図である。
【図６】上ハーフの内面を示す平面図である。
【図７】上ハーフと下ハーフを突き合わせる状態を示し、上下ハーフの外周壁形成壁を突き合わせた状態を示す断面図である。
【図８】上ハーフと下ハーフを突き合わせる状態を示し、上下ハーフの外周壁形成壁及び収納部形成壁を突き合わせた状態を示す断面図である。
【図９】上下ハーフの外周壁形成壁を突き合わせ、溶着して一体化した状態を示す断面図である
【図１０】上下ハーフの外周壁形成壁を突き合わせ溶着し、収納部形成壁を突き合わせた状態を示す断面図である。
【図１１】下ハーフの断面図であって、図５のＡ−Ａ線断面図である。
【図１２】上ハーフの断面図であって、図６のＢ−Ｂ線断面図である。
【図１３】上下ハーフを互いに突き合わせた状態を示す断面図である。
【図１４】上下ハーフが突き合わせ結合される部分を示す平面図である。
【図１５】上下ハーフの外周壁形成壁の先端部にそれぞれ形成された係合突部と係合凹部とを拡大して示す平面図である。
【図１６】本発明に係るディスクカートリッジの他の例を上ハーフ側から見た斜視図である。
【図１７】本発明に係るディスクカートリッジの他の例を下ハーフ側から見た斜視図である。
【符号の説明】
【００９３】
１  ディスクカートリッジ、  ２  光ディスク、  ３  上ハーフ、  ４  下ハーフ、  ５  カートリッジ本体、  ６  ディスク収納部、  ７  円弧状部、  １２  ディスク駆動用開口部、  １３  ヘッド部用開口部、  １６，１７  外周壁形成壁、  １８  係合凹部、  １９  係合突部、  ２０  溶着用リブ、  ２４，２５  収納形成壁、  ２７  結合ピン、  ２９  突き合わせ辺、  ３１  結合受けピン、  ３２  突き合わせ結合片
【図１】
2005322345.tif 000003
【図２】
2005322345.tif 000004
【図３】
2005322345.tif 000005
【図４】
2005322345.tif 000006
【図５】
2005322345.tif 000007
【図６】
2005322345.tif 000008
【図７】
2005322345.tif 000009
【図８】
2005322345.tif 000010
【図９】
2005322345.tif 000011
【図１０】
2005322345.tif 000012
【図１１】
2005322345.tif 000013
【図１２】
2005322345.tif 000014
【図１３】
2005322345.tif 000015
【図１４】
2005322345.tif 000016
【図１５】
2005322345.tif 000017
【図１６】
2005322345.tif 000018
【図１７】
2005322345.tif 000019